(57)【特許請求の範囲】
【請求項１】
リール本体に回転可能に設けられる駆動軸と、
前記駆動軸の先端側と基端側とを前記リール本体に対して回転可能に支持する先端側軸受及び基端側軸受と、
前記先端側軸受とは別体を成して前記先端側軸受の先端側に近接して配設されるシール機構と、
を備え、
前記リール本体には、前記駆動軸を部分的に収容して前記基端側軸受により支持する収容凹部が形成され、この収容凹部の開口を部分的に閉じるカバー部材の開口部が前記シール機構によりシールされることを特徴とする魚釣用スピニングリール。
【請求項２】
前記カバー部材が前記リール本体に着脱自在に取り付けられ、前記シール機構が前記カバー部材と一体を成して１つのユニットを構成することを特徴とする請求項１に記載の魚釣用スピニングリール。
【請求項３】
前記シール機構は、固定部と回転部の間の空隙が磁性流体でシールされる磁気シール機構であることを特徴とする請求項１又は請求項２に記載魚釣用スピニングリール
【請求項４】
前記先端側軸受よりも基端側に配置され、前記駆動軸の回転状態を制御する機能部材を更に備えることを特徴とする請求項１から３のいずれか一項に記載の魚釣用スピニングリール。
【請求項５】
前記機能部材が一方向クラッチであることを特徴とする請求項４に記載の魚釣用スピニングリール。
【請求項６】
前記先端側軸受を軸方向で抜け止め支持する支持体がネジ部材により前記リール本体に対して着脱自在に固定されることを特徴とする請求項１から５のいずれか一項に記載の魚釣用スピニングリール。
【請求項７】
前記駆動軸には、釣糸案内部を有するロータが一体回転可能に取着されることを特徴とする請求項１から６のいずれか一項に記載の魚釣用スピニングリール。
【請求項８】
前記先端側軸受の外径が前記機能部材の外径よりも小さいことを特徴とする請求項１から７のいずれか一項に記載の魚釣用スピニングリール。
【発明の詳細な説明】
【技術分野】
【０００１】
本発明は、魚釣用スピニングリールに関し、特に、シール機構を備えた魚釣用スピニングリールに関する。
【背景技術】
【０００２】
スピニングリールの駆動軸としてのロータ軸（ピニオン）は、構造的に２つの軸受の外側に、荷重部材であるロータが配置される、いわゆる片持ち支持構造となっている。一般に、片持ち支持構造は、２つの軸受の間に荷重部材が配置される両持ち構造よりも、ガタや耐荷重の上で不利となってしまうが、特に荷重部材から軸受までの距離が離れれば離れるほど、より不利になる。このため、特許文献１に開示される魚釣用リールでは、前側軸受とロータの距離が近づくように、前側軸受をリールの最前方に配置することで、よりガタの少なく、耐荷重が有利な構造を実現していた。
【０００３】
一方、このような配置では、前側軸受が海水の飛沫や砂塵等に晒されることで軸受が劣化し、当初の性能を維持できないという課題がある。これを防止するために、特許文献２には、リール本体の支持部（軸受等）と前記駆動軸との間の空隙の防水対策として、この空隙に形成した磁気回路に磁性流体を保持して磁気シールすることが開示されており、この磁気シールは、従来のゴムシールに比べて摩擦抵抗がなく摩耗しない確実な防水・防塵を図ることができるシール機構として注目されている。
【０００４】
具体的に、この特許文献２では、ピニオン（駆動軸）の歯部の前後部を軸受により支持し、前側軸受の前方に一方向クラッチを設けて逆転防止機構を構成するとともに、その前部のピニオン（磁性カラー）とリール本体の開口部との間の空隙に形成した磁気回路に磁性流体を保持して磁気シールを構成することにより、楔作用利用の逆転遊度の生じない一方向クラッチの防水・防塵を図っている。
【先行技術文献】
【特許文献】
【０００５】
【特許文献１】特開２００３−２７８８０３号
【特許文献２】特許第５２４９０７６号
【発明の概要】
【発明が解決しようとする課題】
【０００６】
しかしながら、特許文献２の魚釣用リールでは、前側軸受とロータの間に一方向クラッチが配置される構成となっており、ロータ部分と前側軸受の間の距離が離れてしまうため、ロータのガタを抑え、耐荷重を向上させるのが難しかった。
【０００７】
また、前述した特許文献２の磁気シールの防水性能を更に高めるためには、ピニオンと一体的に回転する筒状磁性体と磁石（極板）との間の空隙を狭くして磁場を強くし、この空隙内に保持される磁性流体の油膜の耐圧能力（磁性流体の保持圧）を高くする必要があるが、ピニオンの磁気シールの位置決めには多くの部品が介在するため、空隙を狭くするのにも限界がある。
【０００８】
また、前述した特許文献２では、磁気シールされるピニオンの前記空隙位置（一方向クラッチの前部）がピニオンの前記前側軸受よりも前方に遠く離間位置されており、また、前側軸受と後側軸受との間の距離が短くなっている（前側軸受と後側軸受とが近い）。そのため、磁気シール機構を構成する磁石（極板）の内周と駆動軸である筒状磁性体の外周との間の同芯度を高精度に維持することが難しく（偏心し易い）、磁気シールの耐圧性能の向上、維持の面において課題が残されている。
【０００９】
本発明は、上記した問題に着目してなされたものであり、同芯度の精度を高め、それにより、ロータのガタを抑えること、耐荷重を向上させることができる魚釣用スピニングリールを提供することを目的とする。また、磁気シールの耐圧性能及び防水性能を向上させることができる魚釣用スピニングリールを提供することを目的とする。
【課題を解決するための手段】
【００１０】
上記した目的を達成するために、本発明の魚釣用スピニングリールは、リール本体に回転可能に設けられる駆動軸と、前記駆動軸の先端側と基端側とを前記リール本体に対して回転可能に支持する先端側軸受及び基端側軸受と、前記先端側軸受の先端側に近接して配設されるシール機構とを備え、前記リール本体には、前記駆動軸を部分的に収容して前記基端側軸受により支持する収容凹部が形成され、この収容凹部の開口を部分的に閉じるカバー部材の開口部が前記シール機構によりシールされることを特徴とする。
【００１１】
上記構成によれば、軸受間を過度に近づけることなく先端側軸受と基端側軸受とにより駆動軸を先端側と基端側とで回転可能に支持するため、駆動軸の回転挙動が安定し、先端側軸受よりも基端側に位置される機能部材（駆動軸の回転状態を制御する部材、例えば一方向クラッチ）を含めた駆動軸周辺の配設部材の同芯度を高精度に確保できる（したがって、駆動軸の回転状態を制御する機能部材そのものの機能を高精度に維持できる）とともに、先端側軸受の先端側に近接してシール機構が配設されるため（シール機構が磁気シール機構である場合には該磁気シール機構の磁性流体を保持する空隙位置が先端側軸受に近接するため）、シール機構の同芯度が高精度に維持される（シール機構が磁気シール機構である場合には、該磁気シールの耐圧性能及び防水性能も高めることができる）。
【発明の効果】
【００１２】
本発明によれば、同芯度の精度を高め、それにより、ロータのガタを抑えること、耐荷重を向上させることができる魚釣用スピニングリールが得られる。また、磁気シールの耐圧性能及び防水性能を向上させることができる魚釣用スピニングリールが得られる。
【図面の簡単な説明】
【００１３】
【図１】本発明の第１の実施形態に係る魚釣用スピニングリールの一部に断面を有する側面図である。
【図２】図１の魚釣用スピニングリールの要部の拡大断面図である。
【図３】第１の実施形態の変形例に係る魚釣用スピニングリールの要部の拡大断面図である。
【図４】本発明の効果を説明するための模式図である。
【図５】本発明の第２の実施形態に係る魚釣用スピニングリールの一部に断面を有する側面図である。
【図６】図３の魚釣用スピニングリールの要部の拡大断面図である。
【発明を実施するための形態】
【００１４】
以下、図面を参照しながら、本発明に係る魚釣用スピニングリールの一実施形態について詳しく説明する。なお、本明細書中では、後述するスプール４側（図１の左側）を先端側（前側）とし、また、後述する駆動ギア７側（図１の右側）を基端側（後側）として、方向を規定する。
【００１５】
図１及び図２には、本発明の第１の実施形態に係る魚釣用スピニングリールが示される。図１に示されるように、本実施形態に係る魚釣用スピニングリールのリール本体１には、釣竿に装着されるリール脚２が一体形成されており、その前方には、回転可能に支持されたロータ３と、ロータ３の回転運動と同期して前後動可能に支持されたスプール４とが配設されている。
【００１６】
ロータ３は、スプール４の周囲を回転する一対の腕部３ａを備えており、各腕部３ａのそれぞれの前端部には、ベール３ｂの基端部を取り付けたベール支持部材３ｃが釣糸巻き取り位置と釣糸放出位置との間で回転自在に支持されている。なお、ベール３ｂの一方の基端部は、ベール支持部材３ｃに一体的に設けられた釣糸案内部３ｄ（図１には図示せず；後述する第２の実施形態に係る図３参照）に取り付けられている。
【００１７】
リール本体１内には、ハンドル軸５が回転可能に支持されており、その突出端部には、ハンドル６が取り付けられている。また、ハンドル軸５には、巻き取り駆動機構が係合しており、この巻き取り駆動機構は、ハンドル軸５に一体回転可能に装着された駆動ギア７と、この駆動ギア７に噛合部１９で噛合する筒状の駆動軸としてのピニオン８とを備えている。リール本体１内に回転可能に設けられるこのピニオン８は、ハンドル軸５と直交する方向に延在しており、軸方向に延在する空洞部が内部に形成されて成る。
【００１８】
ピニオン８は、その先端側と基端側とが先端側軸受９Ａと基端側軸受９Ｂとによりリール本体１に対して回転可能に支持されるとともに、スプール４側に向けて延在しており、その先端部にはロータ３が一体回転可能に取着される。
【００１９】
また、ピニオン８には、その中間部分に、具体的には先端側軸受９Ａよりも基端側に、より具体的には、先端側軸受９Ａと基端側軸受９Ｂとの間に、楔作用を利用してピニオン８の回転状態を制御する機能部材としての転がり式一方向クラッチ１０が取り付けられており、リール本体１の外部に設けられた切り換え操作レバー１１を回動操作することにより一方向クラッチ１０を作動させ、ハンドル６（ロータ３）の釣糸操出方向の逆回転を防止する公知の逆転防止機構を構成するようになっている。
【００２０】
ピニオン８の内部に形成された空洞部内には、ハンドル軸５と直交する方向に延在し、先端側にスプール４を装着したスプール軸１２がピニオン８の内周との間に僅かな隙間を有した状態で軸方向に移動可能に挿通されている。また、スプール軸１２には、スプール４（スプール軸１２）を前後往復動させるための公知のスプール往復動装置１３が係合している。
【００２１】
このような構成を有する魚釣用スピニングリールにおいて、ハンドル６により釣糸巻き取り操作を行なうと、ロータ３が巻き取り駆動機構を介して回転駆動されると共に、スプール４がスプール往復動装置１３を介して前後に往復動されるため、釣糸は、釣糸案内部３ｄを介してスプール４の巻回胴部４ａに均等に巻回される。
【００２２】
図２に明確に示されるように、転がり式一方向クラッチ１０は、ピニオン８に対して回り止め嵌合された内輪２１と、内輪２１の外側に配された保持器２７と、保持器２７の外側に配された外輪２５とを有している。
【００２３】
外輪の内周面には、保持器２７によって保持された複数の転動部材２８がフリーに回転できるフリー回転領域と、複数の転動部材２８の回転を阻止する楔領域とが形成されており、各転動部材２８は、保持器２７に設けられたバネ部材によって楔領域に向けて常時付勢されている。
【００２４】
このような構成の一方向クラッチ１０において、ピニオン８と共に内輪２１が正回転（ロータ３が釣糸巻き取り方向に回転）すると、保持器２７の転動部材２８が外輪２５のフリー回転領域に位置され、そのため、内輪２１の回転力が外輪２５に伝達されず（外輪２５によって阻止されず）、したがって、ピニオン８と共にロータ３が支障なく回転できる。これに対して、ピニオン８と共に内輪２１が逆回転（ロータ８が釣糸操出方向に回転）しようとすると、保持器２７の転動部材２８が外輪２５の楔領域に位置するため、内輪２１の回転力が外輪２５に伝達され、これがストッパとなって、ピニオン８及びロータ３の回転（逆回転）が阻止される。
【００２５】
次に、上記構成のスピニングリール内に配設される磁気シール機構５０について説明する。図２に明確に示されるように、リール本体１には、ハンドル６の操作で連動回転するピニオン８（及び／又は、これと一体に回転する内輪２１）を部分的に収容して基端側軸受９Ｂにより支持する収容凹部４０が凹状に形成されている。また、収容凹部４０は、前述した逆転防止機構の一方向クラッチ１０の外輪２５を内部に回り止め位置決め状態で保持するとともに、スプール４側に面する先端側に開口４０ａを有している。この開口４０ａから水分や異物等が侵入する虞があるため、開口４０ａがカバー部材４２によって部分的に閉じられるとともに、カバー部材４２によって部分的に残されたピニオン８を挿通する開口部４２ａには、この開口部４２ａと非磁性材料（例えば、銅合金、アルミ合金等）から形成されるピニオン８の外周面に形成した磁性部との間に磁気回路を形成し且つこの間に磁性流体を保持することにより開口部４２ａをシールする磁気シール機構５０が先端側軸受９Ａの先端側に近接して位置（配設）して設けられる。
【００２６】
なお、カバー部材４２は、端部内周に形成した螺軸部６１又は別体のネジ等の締結手段でリール本体１の前部に突設した筒状部１ａの前部外周又は前部内周に嵌合した状態（磁気シール機構５０のピニオン８に対する同芯度が維持される）で取り付け固定される。また、収容凹部４０の開口４０ａには、ピニオン８を支持する前述した先端側軸受９Ａが位置するが、一方向クラッチ１０の外径よりも小さい外径を有する先端側軸受９Ａを使用できるように、この開口４０ａには、リール本体１と先端側軸受９Ａとの間に開口４０ａを塞ぐように筒状の介挿部材６３が配設される。
【００２７】
一方向クラッチ１０やピニオン８等の駆動要素を収容する収容凹部４０内をシールする磁気シール機構５０は、ピニオン８を所定の隙間を存して囲繞するように配される磁石５１と、これを保持する環状の極板（磁気リング）５２と、ピニオン８の外周に一体回転可能に嵌着（装着）されて磁石５１との間に磁気回路を形成する筒状磁性体５３と、磁石５１と筒状磁性体５３との間（空隙）に保持される磁性流体５５とにより１つのユニットとして構成される（すなわち、リール本体１からカバー部材４２を外せば、カバー部材４２と共に磁気シール機構５０も一体で外せる）。
【００２８】
この場合、磁石５１は、ピニオン８を挿通させるように、所定の厚さを有してリング状に形成されており、極板５２は、そのように形成された磁石５１を両側から挟持して保持するように構成される。また、筒状磁性体５３は、鉄系の材料、例えば、鋼材、ＳＵＳ４３０、ＳＵＳ４４０Ｃ、ＳＵＳ６３０等によって形成されており、これにより、磁石５１によって、これを保持する極板５２及び筒状磁性体５３との間に磁気回路が形成されるようになっている。また、磁性流体は、例えばＦｅ３Ｏ４のような磁性微粒子をベースオイル界面活性剤により分散させて構成されたものであり、粘性があって磁石を近づけると反応する特性を備えている。
【００２９】
ここで、本発明の効果について、図３及び図４を参照して説明する。図３は、図１及び図２を用いて説明した第１の実施形態の変形例を示す。したがって、図３中、図１及び図２と同一の構成要素については、同一符号を付してその説明を省略する。図３では、基端側軸受９Ｂが、一方向クラッチ１０の基端側ではなく、更にその基端側で、噛合部１９の基端に近接して位置されている。また、図４は、本発明の効果を説明するための模式図であり、図４の（ａ）は特許文献２に示すような従来の構成、図４の（ｂ）は本発明の構成（図３の構成に相当）を示す。図中、理想軸Ｃはガタがゼロのときのロータ３の回転軸（第１の実施形態のピニオン８に相当）、偏芯軸Ｃ’はガタを考慮した際のロータ３の回転軸である。また、ｄ１およびｄ２はそれぞれ後側軸受（第１の実施形態の基端側軸受９Ｂに相当）、前側軸受（第１の実施形態の先端側軸受９Ａに相当）におけるガタであり、Ｄは評価したい箇所（例えば磁気シール部）におけるロータ３の軸である。また、ｘは、前側軸受から後側軸受の距離であり、Ｌは後側軸受から評価したい箇所までの距離である。
【００３０】
それぞれの軸受部では、回転自由に支持するために遊びとなるガタが必要だが、このガタによって軸全体でも偏芯軸Ｃ’のように理想軸からのずれが生じる。このずれが最大となるのは、図４に示すように前側軸受と後側軸受のガタの方向が反対側にずれたときであり、ガタの量は相似の関係からD＝(d１＋d２)L/x−d１と表される。またｄ１＝ｄ２＝ｄとすると、Ｄ＝ｄ（２Ｌ−ｘ）／ｘと変形できる。
【００３１】
一例として、ワンウェイクラッチ（一方向クラッチ１０）の軸方向距離を１５ｍｍ、ピニオンギヤ（噛合部１９）の軸方向距離を１５ｍｍ、後側軸受から防水シール部までの距離Ｌを３５ｍｍとする。また特許文献２に示すような従来構成（図４の（ａ））における前側軸受と後側軸受の距離ｘを１７．５ｍｍ、本発明の構成における前側軸受と後側軸受の距離ｘを３２．５ｍｍとすると、従来の構成図４の（ａ））における防水シール部でのガタＤは３ｄとなり、本発明における防水シール部でのガタＤは、１．１５ｄとなる。本発明図４の（ｂ））により、軸受部のガタを変えずにガタを４０％以下に低減することができる。これにより、コストのかかる高精度加工に頼ることなく、防水部におけるガタを減らすことが出来、より信頼性の高い防水機構とすることができる。
【００３２】
また、ロータ部のガタについても同じ関係が成り立つ。一例として後側軸受からロータまでの距離Ｌを４０ｍｍ、その他の値は上記と同じとすると、従来の構成ではロータ部のガタは３．５７ｄ、本発明でのロータ部のガタは１．４６ｄとなり、約４０％に低減することができる。これにより、防水性を確保しながら、ロータ軸のガタをより小さくし、耐久性を向上させたスピニングリールとすることができる。
【００３３】
以上説明したように、また、図４に関連して説明したように、前述した第１の実施形態によれば、軸受間を過度に近づけることなく先端側軸受９Ａと基端側軸受９Ｂとにより駆動軸としてのピニオン８を先端側と基端側とで回転可能に支持するため、ピニオン８の回転挙動が安定し、先端側軸受９Ａよりも基端側に位置される機能部材である一方向クラッチ１０を含めたピニオン８周辺の配設部材の同芯度を高精度に確保できる（したがって、ピニオン８の回転状態を制御する一方向クラッチ１０そのものの機能を高精度に維持できる）とともに、先端側軸受９Ａの先端側に近接して磁気シール機構５０が配設されるため、すなわち、磁気シール機構５０の磁性流体５５を保持する空隙位置が先端側軸受９Ａに近接するため、磁気シール機構５０の同芯度が高精度に維持され（したがって、前記空隙を所望の度合いまで狭めて磁性流体５５の油膜の保持力を高めて均一に保つことができ）、磁気シール機構５０の耐圧性能及び防水性能を一段と高めることができる。
【００３４】
図５及び図６には、本発明の第２の実施形態に係る魚釣用スピニングリールが示される。図示のように、本実施形態においても、第１の実施形態と同様、駆動軸としてのピニオン８の先端側と基端側とが先端側軸受９Ａ及び基端側軸受９Ｂとによってリール本体１に対して回転可能に支持されており、ピニオン８には、その中間部分に、具体的には先端側軸受９Ａよりも基端側に、より具体的には、先端側軸受９Ａと基端側軸受９Ｂとの間に、楔作用を利用してピニオン８の回転状態を制御する機能部材としての転がり式一方向クラッチ１０が取り付けられている。
【００３５】
また、本実施形態では、先端側軸受９Ａが磁気シール付き軸受として形成されている。この磁気シール付き軸受９Ａは、円筒状の内輪７０と、これを囲繞する円筒状の外輪７１と、内輪７０と外輪７１との間に転動可能に介在される複数の転動体７２とを有する軸受本体７５を備えている。なお、転動体７２は、環状の保持器７３によって保持されており、内輪７０と外輪７１とを相対的に回転可能としている。
【００３６】
内輪７０、外輪７１、及び、転動体７２は、磁性を有する材料（磁性体）、例えばクロム系ステンレス（ＳＵＳ４４０Ｃ）によって形成されており、保持器７３は、耐食性、耐熱性に優れた材料、例えばステンレス材（ＳＵＳ３０４）によって形成されている。
【００３７】
また、磁気シール付き軸受９Ａは、一対の磁性流体シール８０Ａ，８０Ｂを備える。すなわち、転動体７２を挟んで軸受本体７５の軸方向の両側にはそれぞれ、内輪７０と外輪７１との間の環状空間内に、その開口にほぼ位置して、磁性流体シール８０Ａ，８０Ｂが配置されている。これらの一対の磁性流体シール８０Ａ，８０Ｂはそれぞれ、軸受本体７５に一体的に保持されて（軸受本体７５と一体化されて軸受本体７５と共にユニットとして構成される）、軸受本体７５の内部を磁気的にシールする機能を有する。
【００３８】
具体的に、各磁性流体シール８０Ａ，８０Ｂは、転動体７２に面して軸方向内側に配設されるリング状の磁石８１と、磁石８１の軸方向外側面に接して配置されることにより磁石８１を軸方向外側から保持するリング状の極板８２と、内輪７０または外輪７１（回転部）と磁石８１（固定部）との間に保持される磁性流体とを有しており、これらの部材により、転動体７２内に埃、水分等が侵入しないようにシールする機能を有する。
【００３９】
この場合、磁石８１は、転動体７２と対向するようにして極板８２に取着されており、極板８２は、内輪７０側の内面又は外輪７１側の外面のいずれか一方を固定側としている。また、磁石８１は、磁束密度が高く、磁力が強い永久磁石、例えば焼結製法によって作成されるネオジウム磁石を用いることができ、予め軸方向に磁極（Ｓ極、Ｎ極）が向くように着磁されている。
【００４０】
また、本実施形態では、磁気シール付き軸受９Ａと一方向クラッチ１０との間に非磁性材料により形成されるスペーサ９０が介在されている。このようなスペーサ９０を介在させれば、磁気シール付き軸受９Ａが一方向クラッチ１０を構成する筒状の磁性体を吸着してしまうことを回避できる。
【００４１】
なお、このような本実施形態の磁気シール付き軸受９Ａは、ネジ部材９８によりリール本体１に対して着脱自在に固定される支持体９５によって軸方向で抜け止めされて支持される。このようにすると、ネジ部材９８を取り外すだけで軸受９Ａをリール本体１に対して着脱できるため、磁気シール付き軸受９Ａの組み付け及び分解が容易となる。
【００４２】
また、本実施形態では、収容凹部４０内を含めたリール本体１内部のシールを確保するために、磁気シール付き軸受９Ａの内輪７０及び外輪７１とその対向部材との間にシール材９２が介挿される。そのような対向部材として、本実施形態では、磁気シール付き軸受（先端側軸受）９Ａとピニオン８との間に介在する一方向クラッチ１０の内輪２１、及び、磁気シール付き軸受９Ａの抜け止めのための前記支持体９５が挙げられる。なお、それ以外の構成は、一方向クラッチ１０を作動させる切り換え操作機構の構成が異なる点を除き、第１の実施形態とほぼ同様である。
【００４３】
以上説明したように、この第２の実施形態によれば、軸受間を過度に近づけることなく先端側軸受９Ａと基端側軸受９Ｂとにより駆動軸としてのピニオン８を先端側と基端側とで回転可能に支持するため、ピニオン８の回転挙動が安定し、したがって、磁気シール付き軸受９Ａの内輪７０の回転挙動も安定し（結果的に、磁気シール付き軸受９Ａの内外輪７０，７１の偏心が防止され）、磁気シール付き軸受９Ａの磁性流体の油膜の保持力を高めて均一に保たれる（その結果、磁性流体シール８０Ａ，８０Ｂの耐圧性能及び防水性能を高めることができる）とともに、先端側軸受９Ａよりも基端側に位置される機能部材としての一方向クラッチ１０を含めたピニオン８周辺の配設部材の同芯度も高精度に確保できる（したがって、ピニオン８の回転状態を制御する一方向クラッチ１０そのものの機能を高精度に維持できる）。
【００４４】
以上、本発明の実施形態について説明したが、本発明は、前述した実施形態に限定されず、その要旨を逸脱しない範囲で種々変形して実施可能である。例えば、前述した実施形態では、シール機構として磁気シール付き軸受を用いたが、その他のシール機構でも良い。例えば、軸受の回転部と固定部の間にＶ字状の溝を設け、その溝に合成ゴム等からなるエラストマーを配置し、僅かな空隙を隔てて非接触で対向させることで、表面張力、ラビリンス効果を利用して防水、防塵を実現する転がり軸受（固定部と回転部の間の空隙にエラストマー等の防水シールが僅かな隙間を隔てて配置されることで防水防塵を行なうラビリンス式シール付き軸受け）が知られている。このような軸受を利用しても、上述の実施形態と同じ効果が得られることは明らかである。また、本発明における磁気シール機構の構成は、第１の実施形態の構成に限定されず、収容凹部４０内を磁気的にシールできる全ての構成を含む。また、磁気シール付き軸受の構成も、第２の実施形態の構成に限定されず、軸受内をシールできる全ての構成を含む。また、本発明において、駆動軸は、ピニオンに限定されず、これと連動回転する駆動部材であればよく、例えば両軸リールにおけるハンドル軸等を含む。また、本発明において、先端側軸受よりも基端側に配置されて駆動軸の回転状態を制御する機能部材は、一方向クラッチに限定されず、例えばラチェットやモーター、各種センサー等を含む。
【符号の説明】
【００４５】
１  リール本体
３  ロータ
８  ピニオン（駆動軸）
９Ａ  先端側軸受（磁気シール付き軸受）
９Ｂ  基端側軸受
１０  一方向クラッチ（機能部材）
５０  磁気シール機構
９０  スペーサ
９２  シール材
９５  支持体
９８  ネジ部材
【図１】
0006608752.tif 000002
【図２】
0006608752.tif 000003
【図３】
0006608752.tif 000004
【図４】
0006608752.tif 000005
【図５】
0006608752.tif 000006
【図６】
0006608752.tif 000007